(57)【要約】【課題】  本発明は、有機ＥＬパネルの電気的な引き回しを良好とし、組付け作業性を簡便に行うことのできる有機ＥＬ表示器をを提供することを目的とする。【解決手段】  本発明による有機ＥＬ表示器においては、複数の電極部９を有する有機ＥＬパネル１と、この有機ＥＬパネル１を配設するための載置部１１Ａを設けたケース体１１と、このケース体１１と一体的に設けられ、有機ＥＬパネル１の各電極部９と電気的に接続するためのリード端子１２と、からなることにより、ケース体１１によって有機ＥＬパネル１を覆うことにより外部の部品などと直接的に接触することが無くなり、有機ＥＬパネル１を保護することが可能となり、しかもケース体１１に一体的に設けられたリード端子１２によって外部への電気的な引き回しをも良好に行うことができる【選択図】図４
2005345935.tif 000002
【特許請求の範囲】
【請求項１】
複数の電極部を有する有機ＥＬパネルと、この有機ＥＬパネルを配設するための載置部を設けたケース体と、このケース体と一体的に設けられ、有機ＥＬパネルの各電極部と電気的に接続するためのリード端子と、からなることを特徴とする有機ＥＬ表示器。
【請求項２】
前記ケース体の背後にプリント配線板が設けられ、このプリント配線板のランド部と前記リード端子の接続端末部とを電気的に引き回し形成してなることを特徴とする請求項１に記載の有機ＥＬ表示器。
【請求項３】
前記ケース体と前記プリント配線板とにそれぞれ組み付け位置を定めるための位置決め部を設けてなることを特徴とする請求項２に記載の有機ＥＬ表示器。
【請求項４】
前記ケース体を合成樹脂材料にて成形してなることを特徴とする請求項１から請求項３のいずれかに記載の有機ＥＬ表示器。
【発明の詳細な説明】
【技術分野】
【０００１】
本発明は、複数の電極部を列状に有する有機ＥＬパネルをたとえばプリント配線板上に電気的に引き回し配設する有機ＥＬパネルの実装構造に関するものである。
【背景技術】
【０００２】
従来、この種の有機ＥＬパネルとしては、少なくとも発光層を有する有機層を一対の電極で挟持した有機ＥＬ（エレクトロルミネッセンス）素子を透光性の支持基板（ガラス基板）上に配設し、封止部材によって前記有機ＥＬ素子を気密的に封止して構成しているものが知られている。（たとえば、特許文献１を参照）
【０００３】
また、特許文献１などによる有機ＥＬパネルにおいては、その有機ＥＬパネルを駆動するために、たとえば駆動回路を実装したプリント配線板と電気的に接続するように構成しているが、その接続手段として有機ＥＬパネルの設けられている電極部とプリント配線板上に施されたランド部との間を直接的に半田付け接続したり、あるいは導電性部材（導電ゴム）や柔軟性を有するフラットケーブル等を介して電気的に接続するように構成している。
【特許文献１】特開２００２−３４３５５７号公報
【発明の開示】
【発明が解決しようとする課題】
【０００４】
ところで、特許文献１などによる有機ＥＬパネルにおいては、その有機ＥＬパネルを構成する透光性の支持基板は一般的にガラス基板を採用しているため、組み付け実装の際ににおいて有機ＥＬパネルの支持基板などを傷めてしまったりする虞があるため、取扱いにおいて配慮する必要がある。
【課題を解決するための手段】
【０００５】
本発明は、従来の問題点に着目し、有機ＥＬパネルの電気的な引き回しを良好とし、組付け作業性を簡便に行うことのできる有機ＥＬ表示器をを提供することを目的とするものであって、複数の電極部を有する有機ＥＬパネルと、この有機ＥＬパネルを配設するための載置部を設けたケース体と、このケース体と一体的に設けられ、有機ＥＬパネルの各電極部と電気的に接続するためのリード端子と、からなることを特徴とする有機ＥＬ表示器である。（請求項１）
【０００６】
また、請求項１に記載の有機ＥＬ表示器において、前記ケース体の背後にプリント配線板が設けられ、このプリント配線板のランド部と前記リード端子の接続端末部とを電気的に引き回し形成してなることを特徴とする有機ＥＬ表示器である。（請求項２）
【０００７】
また、請求項２に記載の有機ＥＬ表示器において、前記ケース体と前記プリント配線板とにそれぞれ組み付け位置を定めるための位置決め部を設けてなることを特徴とする有機ＥＬ表示器である。（請求項３）
【０００８】
また、請求項１から請求項３のいずれかに記載の有機ＥＬ表示器において、前記ケース体を合成樹脂材料にて成形してなることを特徴とする有機ＥＬ表示器である。（請求項４）
【発明の効果】
【０００９】
本発明による有機ＥＬ表示器においては、複数の電極部を有する有機ＥＬパネルと、この有機ＥＬパネルを配設するための載置部を設けたケース体と、このケース体と一体的に設けられ、有機ＥＬパネルの各電極部と電気的に接続するためのリード端子と、からなることにより、ケース体によって有機ＥＬパネルを覆うことにより外部の部品などと直接的に接触することが無くなり、有機ＥＬパネルを保護することが可能となり、しかもケース体に一体的に設けられたリード端子によって外部への電気的な引き回しをも良好に行うことができるものであり、これにより所期の目的を達成することができる。
【発明を実施するための最良の形態】
【００１０】
本発明では、複数の電極部を有する有機ＥＬパネルと、この有機ＥＬパネルを配設するための載置部を設けたケース体と、このケース体と一体的に設けられ、有機ＥＬパネルの各電極部と電気的に接続するためのリード端子と、からなることを特徴とする有機ＥＬ表示器である。このように構成することによって、ケース体によって有機ＥＬパネルを覆うことにより外部の部品などと直接的に接触することが無くなり、有機ＥＬパネルを保護することが可能となり、しかもケース体に一体的に設けられたリード端子によって外部への電気的な引き回しをも良好に行うことができる。
【００１１】
また本発明の有機ＥＬ表示器においては、前記ケース体の背後にプリント配線板が設けられ、このプリント配線板のランド部と前記リード端子の接続端末部とを電気的に引き回し形成してなることにより、リード端子を介して簡単に外部側への電気的な引き回しを行うことができる。
【００１２】
また本発明による有機ＥＬ表示器においては、前記ケース体と前記プリント配線板とにそれぞれ組み付け位置を定めるための位置決め部を設けてなることにより、リード端子とプリント配線板上のランド部の位置合わせを位置決め部によって簡単に行うことができ、組み立て作業を簡便に行うことができる。
【００１３】
また本発明による有機ＥＬ表示器においては、前記ケース体を合成樹脂材料にて成形してなることにより、外部側の部品などと絶縁性を保ちながらセットすることができるとともに、樹脂成形により簡単にしてかつ安価に構成することができるという効果がある。
【実施例１】
【００１４】
以下、本発明に係るセグメント型の有機ＥＬパネルを備える有機ＥＬ表示器の実施例を添付図面を参照にして説明する。
【００１５】
図１から図５は本発明に第１実施例を示すもので、この第１実施例における有機ＥＬパネルの構造を図１と図２を用いて説明する。有機ＥＬパネル１は、ガラス基板２上にＩＴＯ等の導電性材料によって日の字型の表示セグメント部と個々の表示セグメント部からそれぞれ引き出し形成されたリード部とを備えた透明電極（陽極）３を形成し、この透明電極３（表示セグメント部）上に正孔注入層，正孔輸送層，発光層及び電子輸送層を順次積層形成してなる有機層４を形成し、この有機層４上にアルミ等の背面電極（陰極）５を形成し、透明電極３，有機層４および背面電極５を覆うようにガラス材料からなる凹部形状の封止キャップ６を支持基板２上に紫外線硬化型の接着剤７を介し気密的に配設することで構成されるもので、有機ＥＬパネル１は、透明電極３と背面電極５との間に、直流電圧を印加することによって前記発光層が所定の発光をなすものである。また、有機ＥＬパネル１は、発光領域の輪郭を鮮明に表示するため、または透明電極３と背面電極５との絶縁を確保するために、ポリイミド系等の絶縁層８が透明電極３の周縁部に若干重なるようにガラス基板２上に形成されている。
【００１６】
また有機ＥＬパネル１は、透明電極３および背面電極５のリード部から延長形成された電極部９群が、長方形形状からなるガラス基板２の一辺に集中配設されるとともに、このガラス基板２における電極部９群の形成領域が封止キャップ６から露出するように構成されている。
【００１７】
また有機ＥＬパネル１をセットするための枠状のケース体１１が備えられており、このケース体１１は合成樹脂材料にて成形されており、このケース体１１の上面側に有機ＥＬパネル１を配置して支持するための載置部１１Ａが設けられるとともに、載置部１１Ａの周囲には、ケース体１１から一体に枠状の周壁部１１Ｂが設けられている。
【００１８】
また載置部１１Ａにセットされる有機ＥＬパネル１の電極部９群の位置に対応するケース体１１の載置部１１Ａ箇所には、有機ＥＬパネル１の複数の電極部９と電気的に接続するための複数のリード端子１２がケース体１１にインサート成形されている。
【００１９】
この場合、リード端子１２には、その上端部側を折り曲げて有機ＥＬパネル１の電極部９群と接触するように設けた接触片１２Ａと、その下端部側をケース体１１の底部から部分的に突き出し形成した接続端末部１２Ｂとを備えており、各リード端子１２の接触片１２Ａと有機ＥＬパネル１の電極部９群とを、たとえば半田接続したりあるいは導電性接着剤によって電気的に接続するようにしている。
【００２０】
また１３は、少なくとも前記有機ＥＬパネル１を駆動するための回路が組み込まれたプリント配線板であり、このプリント配線板１３に設けられた挿入孔１３Ａにリード端子１２の接続端末部１２Ｂを挿入した後にプリント配線板１３上に引き回し形成されたランド部１３Ｂと接続端末部１２Ｂとの間を半田接続してケース体１１とともに有機ＥＬパル１をプリント配線板１３上に実装するように構成している。
【００２１】
またケース体１１には位置決め突起１１Ｃが設けられ、その位置決め突起１１Ｃと対応してプリント配線板１３上に位置決め孔１３Ｃが設けられて位置決め部１４を構成している。従って、プリント配線板１３にケース体１１をセットする際に、最初にケース体１１の位置決め突起１１Ｃがプリント配線板１３の位置決め孔１３Ｃに誘い込まれて案内されるため、ケース体１１に設けられたリード端子１２の接続端末部１２Ｂがプリント配線板１３上の挿入孔１３Ａに容易に位置合わせをすることができるようにしている。
【００２２】
なお、この実施例では位置決め部１４に設けられた位置決め突起１１Ｃの先端部を熱用着することにより、ケース体１１の位置決め手段とプリント配線板１３との間の固定手段を兼用して構成している。
【００２３】
このように構成された第１実施例の有機ＥＬ表示器では、ガラス基板２をベースにして
有機ＥＬパネル１を構成しているが、ケース体１１によって有機ＥＬパネル１を覆うことにより外部の部品などと直接的に接触することが無くなり、有機ＥＬパネル１を保護することが可能となり、しかもケース体１１に一体的に設けられたリード端子１２によって外部への電気的な引き回しをも良好に行うことができる。
【００２４】
またこのように有機ＥＬ表示器であるケース体１１にセットされて取り付け固定された有機ＥＬパネル１は、プリント配線板１３上に設けられた位置決め孔１３Ｃにケース体１１に設けた位置決め突起１１Ｃを沿わせて送り込むことによって、ケース体１１に設けられたリード端子１２の接続端末部１２Ｂをプリント配線板１３上の挿入孔１３Ａに簡単に位置合わせすることができる。
【００２５】
またケース体１１を合成樹脂材料にて成形してなることにより、外部側の電気部品などと絶縁性を保ちながらセットすることができるため、ショート現象などの不具合を未然に防ぐことができるとともに、樹脂成形により簡単にしてかつ安価に構成することができるものであり、しかもスペースを大きく取ることなくコンパクトに纏めることができるという効果もある。
【００２６】
また図６と図７は本発明に第２実施例を示すもので、この第２実施例における有機ＥＬパネルの構造としては前述した第１実施例の図１から図３と同様に構成されているため省略して説明する。
【００２７】
この第２実施例にあっては、有機ＥＬパネル１をセットするための枠状のケース体１１は合成樹脂材料にて成形されており、このケース体１１の上面側に有機ＥＬパネル１を配置して支持するための載置部１１Ａが設けられるとともに、載置部１１Ａの周囲には、ケース体１１から一体に枠状の周壁部１１Ｂが設けられ、そのケース体１１の底部には弾性係止爪１１Ｄが設けられている。
【００２８】
またケース体１１の載置部１１Ａ箇所には、有機ＥＬパネル１の複数の電極部９と電気的に接続するための複数のリード端子１２がケース体１１に嵌め込まれて取り付け固定されている。
【００２９】
またリード端子１２には、その上端部側が折り曲げられて有機ＥＬパネル１の電極部９群とそれぞれ対応して接触するように設けられた接触片１２Ａと、リード端子１２の下端部側に筒状に折り曲げ成形された雌型端子部１２Ｃとを備えており、各リード端子１２の接触片１２Ａと有機ＥＬパネル１の電極部９群とは、たとえば半田接続したりあるいは導電性接着剤によって電気的に接続するようにしている。
【００３０】
また、少なくとも前記有機ＥＬパネル１を駆動するための回路が組み込まれたプリント配線板１３には、ケース体１１に取り付け固定された各リード端子１２の雌型端子部１２Ｃと電気的に接続するためのピン端子部１５が設けられランド部１３Ｂを介して電気的に引き回し配線されている。なお、ケース体１１に設けられた弾性係止爪１１Ｄと対応してプリント配線板１３には係止用開口孔１３Ｄが設けられている。
【００３１】
上記構成からなる第２実施例の有機ＥＬ表示器では、ケース体１１にセットされて取り付け固定された有機ＥＬパネル１は、プリント配線板１３上に設けられたピン端子部１５に沿ってリード端子１２の雌型端子部１２Ｃを沿わせて嵌め込むことにより、電気的に接続されるものであり、この時、ケース体１１に設けられた弾性係止爪１１Ｄがプリント配線板１３の係止用開口孔１３Ｄに係合することによってケース体１１とプリント配線板１３とが抜け止め保持される。
【００３２】
従って、前述した第１実施例の効果に加えて、この第２実施例からなる有機ＥＬ表示器にあっては、プリント配線板１３側との実装構造として簡単に着脱することもできるものであり、組み付けや交換作業を簡便に行うことができるという効果がある。
【００３３】
なお本発明は上記実施例に限定されるものではなく、本発明の要旨の範囲内において種々の変形実施が可能である。たとえば実施例においては、有機ＥＬパネル１をセットするケース体１１と一体的に設けられ、有機ＥＬパネル１の各電極部９群と電気的に接続するためのリード端子１２の形状としては、上端側を逆Ｌ字状に単純に折り曲げ形成して接触片１１Ａを構成していたが、部分的に柔軟性を持たせるように形成することにより、外部雰囲気の変化、たとえば温度変化によるケース体１１の膨張率とリード端子１２の膨張率の違いによる歪みをも吸収することも可能となるものである。またケース体１１と一体的に設けられ、有機ＥＬパネル１の各電極部９と電気的に接続するためのリード端子１２の形状や幅設定や長さ設定なども適宜変更可能である。またケース体１１の載置部１１Ａの深さや周壁部１１Ｂの配置箇所たとえば有機ＥＬパネルの四隅にのみ対応して周壁部を設けたりケース体１１の厚み寸法なども適宜設定して設けるようにすればよいものである。
【産業上の利用可能性】
【００３４】
また、前述した実施例においては、セグメント型の有機ＥＬパネルを備える有機ＥＬ表示器の実施例を例にして説明したが、マトリクス型の有機ＥＬパネルからなる有機ＥＬ表示器であっても実施可能であり、また有機ＥＬの発光色も適宜設定することもできるものである。
【図面の簡単な説明】
【００３５】
【図１】本発明の実施例における有機ＥＬパネを示す分解斜視図である。
【図２】図２は、図１の有機ＥＬパネルを示す要部部分断面図である。
【図３】図３は、図１と図２の有機ＥＬパネルの実装構造を示した有機ＥＬ表示器の正面図である。
【図４】図４は、図１と図２の有機ＥＬパネルの実装構造を示した第１実施例の有機ＥＬ表示器の要部分解斜視図である。
【図５】図５は、図４の組み付け状態を示した要部の断面図である。
【図６】図６は、本発明の第２実施例を示す有機ＥＬ表示器の分解斜視図である。
【図７】図７は、図６の組み付け状態を示した要部の断面図である。
【符号の説明】
【００３６】
１    有機ＥＬパネル
２    ガラス基板
９    電極部
１１    ケース体
１１Ａ  載置部
１１Ｂ  周壁部
１１Ｃ  位置決め突起
１１Ｄ  弾性係止爪
１２    リード端子
１２Ａ  接触片
１２Ｂ  接続端末部
１２Ｃ  雌型端子部
１３    プリント配線板
１３Ａ  挿入孔
１３Ｂ  ランド部
１３Ｃ  位置決め孔
１３Ｄ  係止用開口孔
１４    位置決め部
１５    ピン端子部
【図１】
2005345935.tif 000003
【図２】
2005345935.tif 000004
【図３】
2005345935.tif 000005
【図４】
2005345935.tif 000006
【図５】
2005345935.tif 000007
【図６】
2005345935.tif 000008
【図７】
2005345935.tif 000009